(57)【要約】【課題】バッテリー交換が簡単でバッテリーの寿命を延ばすことができる非常用照明器具を提供する。【解決手段】天井面２に配設される器具本体３と；天井面の下方を臨む器具本体の下面３ａにて下方に投光可能に配設された発光ダイオードを有する光源部２２と；光源部の側方かつ器具本体の下面で開口し、非常時に発光ダイオードの電源をなすバッテリーを収納する収納凹部、収納凹部内にてバッテリーを着脱可能に保持するバッテリーホルダー、収納凹部の下面開口を開閉可能に閉じる開閉蓋１３を有するバッテリー収納部９と；発光ダイオードを点灯させる点灯回路を、バッテリー収納部と光源部の少なくとも一方の上方にて器具本体内に収納する点灯回路収納部２３と；を具備している。【選択図】  図１
2006140066.tif 000002
【特許請求の範囲】
【請求項１】
天井に配設される器具本体と；
天井の下方に臨む器具本体の下面にて下方に投光可能に配設された発光ダイオードを有する光源部と；
光源部の側方かつ器具本体の下面で開口し、非常時に発光ダイオードの電源をなすバッテリーを収納する収納凹部、収納凹部内にてバッテリーを着脱可能に保持するバッテリー保持部、収納凹部の下面開口を開閉可能に閉じる開閉蓋を有するバッテリー収納部と；
発光ダイオードを点灯させる点灯回路を、バッテリー収納部と光源部の少なくとも一方の上方にて器具本体内に収納する点灯回路収納部と；
を具備していることを特徴とする非常用照明器具。
【請求項２】
点灯回路と外部電源に接続される電源端子台を器具本体の外面に配設した電源端子台部、
を具備していることを特徴とする請求項１記載の非常用照明器具。
【発明の詳細な説明】
【技術分野】
【０００１】
本発明は充電可能のバッテリーを内蔵した非常用照明器具に関する。
【背景技術】
【０００２】
一般に、非常用照明器具としては、外部電源の停電時等、非常時のみにランプを点灯させる専用形（例えば特許文献１参照）がある。
【０００３】
そして、上記非常用照明器具の光源としては、ハロゲン電球を用いたものが一般的であった。それは、照明器具として天井面から臨む比率が極力小さくなることが好適であったからである。
【０００４】
すなわち、照明器具自体（特に天井面から臨む箇所）はできるだけ小形なものとし、非常用として使用されない通常時には照明器具自体を目立たせないような考慮がなされていた。具体的には、光源に小形のハロゲン電球を用いるとともに、いわゆる化粧枠、反射板およびハロゲン電球のみが天井面から臨む構成としていた。
【特許文献１】特開平４−１４７５０７号公報
【発明の開示】
【発明が解決しようとする課題】
【０００５】
しかしながら、このような従来の専用形非常用照明器具では、比較的大きな半球状の反射板を用いる必要があるので、天井面から臨む部材の小形化には限界がある。
【０００６】
また、この非常用照明器具を天井に配設した状態で、ハロゲン電球と反射板を有する光源部に対して点灯回路ユニットおよびバッテリーが下から上方へ向けて位置するので、バッテリーを交換する場合には、まず、非常用照明器具を天井から取り外し、さらに、光源部、点灯回路ユニット、バッテリーにそれぞれ分解しなければならない。さらに、バッテリーを交換した後、再度非常用照明器具に組み立て、天井に取り付けなければならず、バッテリーの交換作業が非常に煩雑であるという課題を有する。
【０００７】
また、ハロゲン電球の点灯時には、その発熱がその上方のバッテリーを加熱し、さらに点灯回路ユニットからの発熱もバッテリーに対して熱影響を及ぼすのでバッテリーの寿命が短くなるという課題がある。
【０００８】
本発明はこのような事情を考慮してなされたもので、バッテリー交換が簡単でバッテリーの寿命を延ばすことができる小形の非常用照明器具を提供することを目的とする。
【課題を解決するための手段】
【０００９】
請求項１に係る発明は、天井に配設される器具本体と；天井の下方に臨む器具本体の下面にて下方に投光可能に配設された発光ダイオードを有する光源部と；光源部の側方かつ器具本体の下面で開口し、非常時に発光ダイオードの電源をなすバッテリーを収納する収納凹部、収納凹部内にてバッテリーを着脱可能に保持するバッテリー保持部、収納凹部の下面開口を開閉可能に閉じる開閉蓋を有するバッテリー収納部と；発光ダイオードを点灯させる点灯回路を、バッテリー収納部と光源部の少なくとも一方の上方にて器具本体内に収納する点灯回路収納部と；を具備していることを特徴とする非常用照明器具である。
【００１０】
なお、バッテリー保持部と開閉蓋を一体に形成してもよい。
【００１１】
請求項２に係る発明は、点灯回路と外部電源に接続される電源端子台を器具本体の外面に配設した電源端子台部、を具備していることを特徴とする請求項１記載の非常用照明器具である。
【発明の効果】
【００１２】
請求項１の発明によれば、器具本体が天井に取り付けられた状態で下面に位置する器具本体の下面に、バッテリーを収納するバッテリー収納部の開閉蓋を設けているので、器具本体を天井に取り付けたままの状態でバッテリー収納部の開閉蓋を単に開いてバッテリーを取り外し交換することができる。このために、バッテリーの交換作業の容易性を向上させることができる。
【００１３】
また、この非常用照明器具によれば、バッテリーが収納されるバッテリー収納部を、点灯時に発熱する発光ダイオードを有する発光部の側方であって、点灯回路収納部の下方に配置したので、発光ダイオードと点灯回路の発熱によりバッテリーが加熱されることを低減することができる。このために、バッテリーの短寿命化を抑制することができる。
【００１４】
請求項２の発明によれば、一般に低温の天井裏に位置する器具本体の外面に、電源端子台を設けているので、電源端子台を介して放熱することができ、放熱性を向上させることができる。
【発明を実施するための最良の形態】
【００１５】
以下、本発明の実施形態を添付図面に基づいて説明する。なお、複数の添付図面中、同一または相当部分には同一符号を付している。
【００１６】
図１は本発明の一実施形態に係る非常用照明器具１の概略縦断面図、図２は図１で示す非常用照明器具１の電気的構成を示すブロック図、図３はこの非常用照明器具１を天井面２に配設した状態を一部縦断面で示す部分縦断面図、図４は図３の下面図、図５は図４の開閉蓋（電池蓋）を開口させた状態の下面図である。
【００１７】
これらの図に示すように非常用照明器具１は、天井面２に埋設される、例えば円筒状の器具本体３を具備しており、この天井面２の図２中下方を照明するようになっている。
【００１８】
非常用照明器具１は天井面２の図３中下方を臨む器具本体３の下面３ａに、環状の外向フランジ４を一体に突設する一方、器具本体３の胴部下部外面に、直径方向外方へ延在する図４中上下一対の帯板状の係止ばね５，５を固着している。これら一対の係止ばね５，５と外向フランジ４とにより天井面２を図３中上下方向で弾性的に挟持させることにより、非常用照明器具１を天井面２に固定している。
【００１９】
図４に示すように非常用照明器具１は、その下面３ａの図中右側にて、図３中下方に開口する例えば円形状の凹部６を形成し、この凹部６の底部中央部に発光ダイオード７を配設している。
【００２０】
発光ダイオード７は例えば５０ｌｍ／Ｗの発光効率と４万〜６万時間の長寿命を有し、発光ダイオード７上には、この発光ダイオード７よりも大径の例えば中実円柱状のレンズ８を配設し、天井面２の図３中下方へ投光するようになっている。
【００２１】
また、図４，図５に示すように器具本体３の下面３ａには、発光ダイオード７の径方向反対側にて、バッテリー収納部９を配設している。
【００２２】
図５に示すようにバッテリー収納部９は、例えば矩形平板状のユニットに形成された充電可能のバッテリー１０を収納する所要深さの収納凹部１１の底部上に、バッテリー１０を着脱可能に保持するバッテリーホルダー１２を配設している。バッテリー１０は例えば充電可能の複数本の電池を一平面上に並設させて、その外面を樹脂シート等により被覆することにより、平板状のユニットに形成され、コネクタ１０ａを介して図１で示す所要の回路に電気的に接続されるようになっている。
【００２３】
バッテリーホルダー１２はバッテリー１０の図５中、縦方向と横方向の少なくとも一方を弾性的に挟持する複数の弾性係止爪等からなる。収納凹部１１の下面開口１１ａには、例えばほぼ半円状の開閉蓋（電池蓋）１３を開閉可能に設けている。
【００２４】
開閉蓋１３は、その一端、例えば図４中右端を図示しないヒンジピン等により、収納凹部１１の下面開口１１ａに回動可能に枢着する一方、その反対側の図３中左端側の開口端部に図示しない係止部を設けており、この係止部に係脱可能に係止する被係止部を収納凹部１１に配設している。これにより、開閉蓋１３を収納凹部１１へ、そのの開口を閉じるように押し込むことにより、開閉蓋１３の係止部を収納凹部１１の被係止部に係止させて閉じる一方、開閉ボタン１４を図２中上方へ押し込むことにより、これら係止部と被係止部の係止状態を解除させ、開閉蓋１４をヒンジピン回りに回動させて収納凹部１１の下面開口１１ａを開口させるようになっている。
【００２５】
なお、図１，図３中、符号１５は電源端子台、図３〜図５中、符号１６は点検ボタンである。点検ボタン１６はそのオン操作時に、後述する点検回路から、外部電源の停電を擬似した停電擬似信号を停電検出回路に与えることにより、発光ダイオード７が外部電源の停電時に規定時間点灯するか否かを点検するための押しボタンスイッチである。
【００２６】
図２はこの非常用照明器具１の電気的構成を示すブロック図である。この図２に示すように非常用照明器具１は、図示しない商用電源等の外部電源に接続される電源端子台１５に、停電検出回路１７、充電回路１８、常用点灯回路１９を接続している。
【００２７】
停電検出回路１７は電源端子台１５に印加される外部電源の電圧が所定時間所定値以下であることを検出したときに、外部電源の停電が発生したとして停電検出信号を切替回路２１に与えるものである。
【００２８】
充電回路１８は外部電源の交流を所定電圧の直流に変換してバッテリー１０に給電し、充電するものである。バッテリー１０には非常用点灯回路２０が接続されている。
【００２９】
非常用点灯回路２０は外部電源の停電の非常時に、バッテリー１０を電源として発光ダイオード７を規定照度（例えば１ｌｘ）で規定時間（例えば２０〜３０分）点灯させる回路である。外部電源停電時の規定照度と規定時間は建築基準法により規定されている。
【００３０】
常用点灯回路１９は外部電源が電源端子台１５に正常に給電されている通常時に、外部電源の交流を所定電圧の直流に変換して非常点灯時よりも低い点灯レベルで発光ダイオード７を点灯させる回路である。すなわち、常用点灯回路１９は、非常用点灯回路２０により発光ダイオード７が点灯されるときの点灯レベルを１００％としたときに、その２０〜５０％程度で発光ダイオード７を点灯させるものであり、例えば０．２〜０．３ｌｘ程度の照度で常夜灯等として点灯させるものである。
【００３１】
これら常用点灯回路１９と非常用点灯回路２０は切替回路２１を介して発光ダイオード７にそれぞれ接続されている。切替回路２１は外部電源が正常な通常時には、発光ダイオード７を常用点灯回路１９に常時接続する一方、外部電源の停電等非常時に、その停電を検出する停電検出回路１７からの停電検出信号を受けて、発光ダイオード７を常用点灯回路１９から非常用点灯回路２０に切り替えて接続し、その接続を規定時間保持するものである。
【００３２】
また、点検回路２２は点検ボタン１６が押し込まれる等ＯＮ操作されたときに、停電擬似信号を停電検出回路１７に与え、停電検出回路１７から擬似の停電検出信号を切替回路２１に与え、この切替回路２１により発光ダイオード７を常用点灯回路１９から非常用点灯回路２０へ切り替えて規定時間接続させることにより、発光ダイオード７が非常時に点灯するか否かを点検するものである。
【００３３】
そして、停電検出回路１７、充電回路１８、常用点灯回路１９、非常用点灯回路２０、切替回路２１、点検回路２２をそれぞれ構成する基板や電気部品はバッテリー収納部９よりも図１，図２中上方の器具本体３内に配設される。
【００３４】
したがって、この非常用照明器具１の図示しない壁スイッチ等のメインスイッチをＯＮ操作すると、商用電源等の外部電源が正常時には、外部電源により充電回路１８を介してバッテリー１０が常時充電される一方、切替回路２１により発光ダイオード７を常用点灯回路１９に接続しているので、発光ダイオード７は常用点灯回路１９により低い点灯レベルで点灯され、例えば０．２ｌｘまたは０．３ｌｘの照度が得られる。すなわち、非常用照明器具１を常夜灯として使用することができる。このために、夜間等のセキュリティーを向上させることができる。また、非常用照明器具１は常夜灯として夜間中、長時間点灯されるが、点灯レベルが低いので、非常用照明器具１の安全性や信頼性を向上させることができる。
【００３５】
そして、非常用照明器具１がこのように常夜灯として使用されている時、または使用されていない時に、外部電源が停電すると、その停電が停電検出回路により検出され、停電検出信号が切替回路２１に与えられる。
【００３６】
このために、切替回路２１は発光ダイオード７を常用点灯回路１９から非常用点灯回路２０に切替接続し、その接続状態を規定時間保持する。
【００３７】
これにより、非常用点灯回路２０はバッテリー１０を電源として発光ダイオード７を規定時間、通常点灯よりも高い点灯レベルで点灯させる。これにより、非常灯として要求される規定照度（例えば１ｌｘ）を規定時間得ることができる。
【００３８】
すなわち、この非常用照明器具１によれば、規定の非常点灯の性能を確保しつつ、常時点灯（常夜灯）も可能である。
【００３９】
しかも、この非常用照明器具１を、常夜灯として使用する場合は、セキュリティーを確保し得るために最低限の照度で発光ダイオード７を点灯させるので、発光ダイオード７の寿命の短縮を抑制することができると共に、常夜灯として仮に毎晩点灯させる場合でも発光ダイオード７を低い点灯レベルで点灯させ、過負荷で点灯させないので、非常用照明器具１の安全性と信頼性を向上させることができる。
【００４０】
さらに、元々発光ダイオード７の寿命は例えば４万〜６万時間と長寿命であるので、常夜灯として併用した場合でも、非常時に発光ダイオード７を寿命により点灯させることができなくなる虞を大幅に低減することができる。
【００４１】
しかも、発光ダイオード７は例えば５０ｌｍ／Ｗと高効率であるので、バッテリー１０の電力消耗も抑制することができる。このために、バッテリー１０の小形軽量化を図ることができる。
【００４２】
さらに、発光ダイオード７自体が小形軽量であり、配光特性の指向性が高いので、発光ダイオード７に小形のレンズ８を設けることにより、所要の配光特性を簡単に得ることができる。このためにも電球と半球状の反射板を具備した従来の非常用照明器具に比して非常用照明器具全体としての大幅な小形軽量化を図ることができる。
【００４３】
また、点検ボタン１６を押すことにより、発光ダイオード７とバッテリー１０の寿命を随時点検することができる。
【００４４】
そして、図１に示すように非常用照明器具１は、その器具本体３内に、バッテリー収納部９の側方（図１では右側方）の下面３ａ上にて、光源部２２を形成する一方、この光源２２とバッテリー収納部９の上方にて点灯回路収納部２３を形成している。
【００４５】
光源部２２は前記発光ダイオード７、レンズ８およびこれらを収納する凹部６から構成されている。
【００４６】
点灯回路収納部２３は発光ダイオード７を点灯させる点灯回路を構成する基板や点灯回路部品を器具本体３内に収納する部分であり、点灯回路は図１で示す停電検出回路１７、充電回路１８、常用点灯回路１９、非常用点灯回路２０、切替回路２１、点検回路２２を含む。
【００４７】
したがって、加熱により寿命が短縮するバッテリー１０を収納するバッテリー収納部９を、点灯時に発熱する光源部２２の下方に配置させずに側方に配置すると共に、点灯時にやはり発熱する点灯回路収納部２３の下方に配置したので、バッテリー１０が光源部２２と点灯回路収納部２３とにより加熱されるのを低減させることができる。このために、バッテリー１０の寿命を延ばすことができる。
【００４８】
また、バッテリー収納部９の開閉蓋１３を器具本体３の下面３ａに形成したので、非常用照明器具１を天井面２に取り付けたままの状態で開閉ボタン１４を天井面２側の上方へ只単に押し込むことにより、開閉蓋１３を開放させ、バッテリー収納部９内を下方に開口させることができる。
【００４９】
このために、バッテリー収納部９内からバッテリー１０を簡単に取り外し、交換してから再び開閉蓋１３を天井面２側の上方へ只単に押し込むことにより開閉蓋１３を閉じることができる。
【００５０】
したがって、バッテリー１０の交換作業の容易性を向上させることができる。
【００５１】
また、図１に示すように、電源端子台１５は器具本体３の頂面外面に配設され、一般に低温の天井裏に位置するので、この電源端子台１５を介して放熱することができ、放熱性を向上させることができる。
【００５２】
なお、上記実施形態では、バッテリー収納部９のバッテリーホルダー１２を収納凹部１１の底部に配設する場合について説明したが、このバッテリーホルダー１２を開閉蓋１３に一体に設けてもよい。
【図面の簡単な説明】
【００５３】
【図１】本発明の一実施形態に係る非常用照明器具の概略縦断面図。
【図２】図１で示す非常用照明器具の電気的構成を示すブロック図。
【図３】図１で示す非常用照明器具を天井面に配設した状態を示す部分縦断面図。
【図４】図３の一部省略下面図。
【図５】図４の一部省略下面図。
【符号の説明】
【００５４】
１…非常用照明器具、２…天井面、３…器具本体、７…発光ダイオード、８…レンズ、９…バッテリー収納部、１０…バッテリー、１３…開閉蓋、１４…開閉ボタン、１５…電源端子、１６…点検ボタン、１７…停電検出回路、１８…充電回路、１９…常用点灯回路、２０…非常用点灯回路、２１…切替回路、２２…光源部、２３…点灯回路収納部。
【図１】
2006140066.tif 000003
【図２】
2006140066.tif 000004
【図３】
2006140066.tif 000005
【図４】
2006140066.tif 000006
【図５】
2006140066.tif 000007